(57)【特許請求の範囲】
【請求項１】
浴室内空気を吸い込んで建物の外へ排出する排気ファンと、
建物の外の外気を吸い込んで浴室へ給気する給気ファンと、
前記排気ファンおよび給気ファンを回転駆動するモータと、
前記排気ファンによって吸い込まれた浴室内空気と前記給気ファンによって吸い込まれた外気との間で熱交換を行う熱交換素子と、
前記排気ファン、給気ファン、モータおよび熱交換素子を収納する本体ケースとを備えた浴室乾燥換気装置であって、
前記熱交換素子を弾性体を介して前記本体ケースに支持するとともに、前記熱交換素子にはロッドが設けられ、該ロッドは振動機構を介して前記モータに接続され、前記モータの回転力を利用して前記振動機構が前記ロッドをその軸方向に振動させることにより、前記熱交換素子に振動を加えることを特徴とする浴室乾燥換気装置。
【請求項２】
浴室内空気を吸い込んで建物の外へ排出する排気ファンと、
建物の外の外気を吸い込んで浴室へ給気する給気ファンと、
前記排気ファンおよび給気ファンを回転駆動するモータと、
前記排気ファンによって吸い込まれた浴室内空気と前記給気ファンによって吸い込まれた外気との間で熱交換を行う熱交換素子と、
前記排気ファン、給気ファン、モータおよび熱交換素子を収納する本体ケースとを備えた浴室乾燥換気装置であって、
前記熱交換素子を弾性体を介して前記本体ケースに支持するとともに、前記熱交換素子にロッドを介して振動モータを連結し、該振動モータで前記熱交換素子に振動を加えることを特徴とする浴室乾燥換気装置。
【請求項３】
前記振動モータは、前記熱交換素子の目詰まりを検出したときに、当該熱交換素子に振動を加えることを特徴とする請求項２に記載の浴室乾燥換気装置。
【発明の詳細な説明】
【技術分野】
【０００１】
本発明は、浴室内での衣類の乾燥、または浴室内の乾燥および換気を行うのに好適な浴室乾燥換気装置に関するものである。
【背景技術】
【０００２】
最近、住宅に浴室乾燥換気装置を設置することが一般化しつつある。このような浴室乾燥換気装置は、装置本体内に、給気ファン、排気ファンおよびヒータ等が設けられ、給気ファンによって装置本体内に外気を吸い込んで、その外気をヒータで暖めながら浴室内に供給することにより、暖かい空気を浴室内で循環させるようになっている。そして、浴室内に衣類を干しておけば、循環する暖かい空気で衣類の温度が上がり、これにより、衣類の水分を積極的に蒸発させることができる。また、循環する暖かい空気で浴室内の壁、天井および床等の温度が上がるため、壁、天井および床等に付着した水分（水滴）も積極的に蒸発させることができ、浴室内の乾燥さらには浴室内の換気も行うことが可能となっている。
【０００３】
ところで、上記浴室乾燥換気装置では、蒸発した水分を含む暖かい浴室内空気を排気ファンによって装置本体内に吸引し、そのまま建物の外に排気しているため、浴室内空気が有する熱エネルギを無駄に排出してしまう欠点がある。
【０００４】
そこで、図１１に示すように、本体ケース１内に熱交換素子２を設けるとともに、この熱交換素子２を用いて、排気ファン３によって排気される浴室内空気と給気ファン４によって吸い込まれた外気との間で熱交換を行って、浴室内空気が有する熱エネルギを回収し、浴室内に戻すようにした浴室乾燥換気装置が提案されている。なお、図１１において、５は浴室内に供給される外気を加熱するためのヒータである。
【特許文献１】特許第２５４３１２８９号公報（第２頁、第１図）
【発明の開示】
【発明が解決しようとする課題】
【０００５】
しかしながら、上記従来の技術では、熱交換素子で結露が発生したときに、その結露水によって熱交換素子が詰まってしまうという問題がある。すなわち、浴室内空気は、外気に比べて高温多湿であり、熱交換素子において外気との間で熱交換する際に外気によって急激に冷やされると、浴室内空気に含まれていた水分が熱交換素子で結露し、その結露水が熱交換素子の通路内に溜まり、通路が目詰まりを起こしてしまうのである。
【０００６】
熱交換素子が詰まってしまうと、熱交換素子の通路内を流れる浴室内空気の風量が低下し、熱交換素子での熱交換率が悪くなるとともに、浴室内に干した衣類を乾燥させるのに時間がかかる。
【０００７】
本発明の課題は、熱交換素子が結露水によって目詰まりを起こすのを防ぐことのできる浴室乾燥換気装置を提供することにある。
【課題を解決するための手段】
【０００８】
上記課題を解決するために、請求項１に記載の発明は、浴室内空気を吸い込んで建物の外へ排出する排気ファンと、建物の外の外気を吸い込んで浴室へ給気する給気ファンと、前記排気ファンおよび給気ファンを回転駆動するモータと、前記排気ファンによって吸い込まれた浴室内空気と前記給気ファンによって吸い込まれた外気との間で熱交換を行う熱交換素子と、前記排気ファン、給気ファン、モータおよび熱交換素子を収納する本体ケースとを備えた浴室乾燥換気装置であって、前記熱交換素子を弾性体を介して前記本体ケースに支持するとともに、前記熱交換素子にはロッドが設けられ、該ロッドは振動機構を介して前記モータに接続され、前記モータの回転力を利用して前記振動機構が前記ロッドをその軸方向に振動させることにより、前記熱交換素子に振動を加えることを特徴としている。
【０００９】
上記構成によれば、浴室内空気に含まれていた水分が熱交換素子において結露し結露水となって、熱交換素子の通路内が目詰まりしかけたときは、モータの回転力を利用して振動機構がロッドをその軸方向に振動させて、熱交換素子全体に振動を加えることにより、結露水を熱交換素子から振り落とすことができ、熱交換素子の目詰まりを未然に防ぐことができる。また、熱交換素子は弾性体を介して本体ケースに支持されているので、熱交換素子を容易に振動させることができる。
【００１０】
また、上記構成によれば、熱交換素子を振動させるための駆動源を新たに設けなくて済むので、浴室乾燥換気装置の構成を簡素化できる。
【００１１】
また、前記加振手段は振動モータであってもよい。このようにすれば、熱交換素子に振動モータを連結するだけで熱交換素子を容易に振動させることができる。
【００１２】
請求項２に記載の発明は、浴室内空気を吸い込んで建物の外へ排出する排気ファンと、建物の外の外気を吸い込んで浴室へ給気する給気ファンと、前記排気ファンおよび給気ファンを回転駆動するモータと、前記排気ファンによって吸い込まれた浴室内空気と前記給気ファンによって吸い込まれた外気との間で熱交換を行う熱交換素子と、前記排気ファン、給気ファン、モータおよび熱交換素子を収納する本体ケースとを備えた浴室乾燥換気装置であって、前記熱交換素子を弾性体を介して前記本体ケースに支持するとともに、前記熱交換素子にロッドを介して振動モータを連結し、該振動モータで前記熱交換素子に振動を加えることを特徴としている。
【００１３】
上記構成によれば、熱交換素子の目詰まりを検出したときだけ、熱交換素子に振動が加えられるため、低騒音化と省エネ化に寄与する。また、熱交換素子に振動モータを連結するだけで熱交換素子を容易に振動させることができる。
【００１４】
請求項３に記載の発明は、請求項２において、前記振動モータは、前記熱交換素子の目詰まりを検出したときに、当該熱交換素子に振動を加えることを特徴としている。
【発明の効果】
【００２２】
本発明によれば、熱交換素子の空気通路に結露水が溜まらないので、熱交換素子が目詰まりを起こすのを未然に防ぐことができる。
【００２３】
また、熱交換素子の目詰まりを防ぐことができるため、熱交換素子の通路内を流れる浴室内空気の風量が低下することはなく、その結果、熱交換素子での熱交換率の低下や衣類乾燥に時間がかかるのを回避できる。
【発明を実施するための最良の形態】
【００２４】
以下、本発明の実施例を図面に従って説明する。
【実施例１】
【００２５】
図１は実施例１による浴室乾燥換気装置１０の概念図である。本浴室乾燥換気装置１０は、図１に示すように、本体ケース１１を有し、この本体ケース１１の内部には熱交換素子１２が設置されている。熱交換素子１２は略四角柱（図２参照）をなし、その中心軸が図１の紙面垂直方向に向くよう配置されている。
【００２６】
熱交換素子１２は、図２に示すように、段ボール紙の断面形状に似た断面構成を有する樹脂製のシート１３，１４を多数積層したものであり、このシート１３，１４は空気を通す細長い空気通路Ｐが多数平行に配列されている。シート１３とシート１４は交互に積層され、シート１３の空気通路Ｐとシート１４の空気通路Ｐとは互いに直交して配置されている。また、熱交換素子１２の４つの角部には面取り１５が形成され、各面取り１５の外表面にはシール部材１６がそれぞれ貼り付けられている。
【００２７】
このような構成の熱交換素子１２は、図１に示すように、各面取り１５のシール部材１６が、弾性体としてのゴムパッキン１７を介して本体ケース１１に固定されている。熱交換素子１２の周囲には、浴室内空気吸込室１８、排気室１９、外気吸込室２０、給気室２１が形成されている。浴室内空気吸込室１８には浴室内空気風路２２が、排気室１９には排気風路２３が、外気吸込室２０には外気風路２４が、給気室２１には給気風路２５が各々接続されている。なお、図示してないが、浴室内空気風路２２および給気風路２５の先端は浴室の天井部に開口し、また排気風路２３および外気風路２４の先端は建物の外壁面に開口している。
【００２８】
外気風路２４の内部には給気ファン２６が、排気風路２３の内部には排気ファン２７がそれぞれ設置されている。給気ファン２６はモータ２８によって回転駆動され、また排気ファン２７はモータ２９によって回転駆動される。さらに、給気室２１には、熱交換素子１２の下方で且つ給気風路２５との接続口付近にヒータ３０が設置されている。
【００２９】
本実施例では、熱交換素子１２にロッド３１が設けられている。このロッド３１は、一端が熱交換素子１２の側面に取付プレート３１Ａを介して取り付けられ、他端が排気ファン２６のモータ２８に結合されている。モータ２８とロッド３１とは振動機構（図示省略）を介して接続されており、モータ２８が回転すると、その回転力を利用して振動機構はロッド３１をその軸方向に振動させる。
【００３０】
次に、上記構成の浴室乾燥換気装置１０の作用について説明する。
【００３１】
モータ２９によって排気ファン２７を回転させると、浴室内空気が浴室内空気風路２２を通って浴室内空気吸込室１８に吸い込まれ、さらに熱交換素子１２に流入する。また同時に、モータ２８によって給気ファン２６を回転させると、建物の外の外気が外気風路２４を通って外気吸込室２０に吸い込まれ、さらに熱交換素子１２に流入する。
【００３２】
熱交換素子１２に流入した浴室内空気と外気は、それぞれ直交して配置された、熱交換素子１２の空気通路Ｐを通過する際に互いに熱交換を行う。ここでは、浴室内空気の方が外気よりも温度が高いので、浴室内空気が有する熱（熱エネルギー）は外気側に伝達され、これにより、浴室内空気の温度が低下し、逆に外気の温度が上昇する。
【００３３】
浴室内空気は温度が高いだけでなく、通常、湿度も高いので、熱交換素子１２での熱交換時に、外気によって急激に冷やされると、浴室内空気に含まれていた水分が熱交換素子１２の空気通路Ｐ内で結露する。そして、空気通路Ｐ内に結露水が溜まっていくが、モータ２８の回転によりロッド３１が常に振動し、この振動が熱交換素子１２に加えられているので、空気通路Ｐ内の結露水は振り落とされ、排気室１９底部に設けられた凹状の底壁１９Ａ上に滴下する。
【００３４】
排気室１９の底壁１９Ａはヒータ３０に近く、常時ヒータ３０で加熱されている。そのため、底壁１９Ａ上に滴下した結露水は直ぐに蒸発し、排気風路２３を通って建物の外に排出される。
【００３５】
また、熱交換素子１２を通過し温度が低下した浴室内空気は排気室１９に流れ込み、さらに排気風路２３を通って建物の外に排気される。一方、熱交換素子１２を通過し温度が上昇した外気は給気室２１に流れ込み、この給気室２１においてヒータ３０で加熱されて更に温度が高められてから、給気風路２５を通って浴室内に供給される。
【００３６】
本実施例によれば、熱交換素子１２に常に振動が加えられているので、浴室内空気と外気との熱交換時に熱交換素子１２の空気通路Ｐ内に結露が生じても、その結露水は熱交換素子１２から容易に振り落とされ、結露水が熱交換素子１２内に溜まってしまうのを未然に防止することができる。
【実施例２】
【００３７】
図３は実施例２を示している。本実施例では、図３に示すように、外気吸込室２０内に振動モータ３２が設けられ、振動モータ３２と熱交換素子１２とがロッド３１を介して連結されている。また、排気室１９内（底壁１９Ａ内面）には圧力センサ３３が取り付けられ、この圧力センサ３３からの検出信号を取り込んで、振動モータ３２の駆動開始および駆動停止を制御する制御部３４が設けられている。
【００３８】
上記構成において、熱交換素子１２の空気通路Ｐ内に結露水が溜まってくると、熱交換素子１２を通過する浴室内空気量が減少するため、排気室１９内の圧力が低下する。この圧力低下は圧力センサ３３によって検出され、その検出信号は制御部３４に入力される。そして制御部３４は、排気室１９内の圧力が所定値以下となったとき、熱交換素子１２が目詰まりを起こしていると判断し、振動モータ３２の駆動を開始させる。
【００３９】
振動モータ３２の駆動開始により空気通路Ｐ内の結露水は熱交換素子１２から振り落とされ、熱交換素子１２の目詰まりが解消される。目詰まりが解消されたら、制御部３４は振動モータ３２の駆動を停止させる。
【００４０】
本実施例によれば、熱交換素子１２が目詰まりを起こしたときだけ振動モータ３２が駆動されるので、浴室乾燥換気装置１０の低騒音化を図ることができる。
【００４１】
なお、圧力センサに代わりに、排気室１９内の湿度を検出する湿度センサを設け、排気室１９内が所定の湿度になったときに振動モータ３２を作動させたり、あるいは結露を検出する結露センサを設け、結露状態によって振動モータ３２を作動させるようにしてもよい。さらに、圧力センサ、湿度センサおよび結露センサをそれぞれ設け、各センサからの検出信号を取り込んで結露状態を総合的に判断して、振動モータ３２の駆動を制御するようにしてもよい。
【実施例３】
【００４２】
図４は実施例３による浴室構造の概略構成図である。本実施例では、本体ケース４０の内部に八角柱形状の熱交換素子４１が設けられている。
【００４３】
熱交換素子４１は、図５および図６に示すように、段ボール紙の断面形状に似た断面構成をなし、かつ外径が八角形に形成された樹脂製のシート４２，４３，４４を有する。各シート４２，４３，４４には、一辺からその対向辺に向かって細長い空気通路Ｐ１，Ｐ２，Ｐ３が多数平行に配列されている。なお、各空気通路Ｐ１，Ｐ２，Ｐ３の両側の台形部分４２Ａ，４３Ａ，４４Ａは、板厚ｔ（この板厚ｔは空気通路Ｐ１，Ｐ２，Ｐ３の高さに略等しい）を有する厚板状になっている。
【００４４】
熱交換素子４１には、シート４２，４３，４４を一組のシート束として、このようなシート束が多数積層されている。図５のＡ方向から見たとき、シート４３の空気通路Ｐ２はシート４２の空気通路Ｐ１に対して時計方向に４５度傾斜して配置され、またシート４４の空気通路Ｐ３はシート４２の空気通路Ｐ１に対して反時計方向に４５度傾斜して配置されている。
【００４５】
このような構成の熱交換素子４１は、図４に示すように、本体ケース４０内に設置され、シート４３の空気通路Ｐ２の両端が外気風路４５および給気風路４６に、シート４２の空気通路Ｐ１の両端が第１の浴室内空気風路４７および排気風路４８に、シート４４の空気通路Ｐ３の両端が第２の浴室内空気風路４９および排気風路４８にそれぞれ接続されている。
【００４６】
第１の浴室内空気風路４７および第２の浴室内空気風路４９は１つの浴室内空気風路５０に合流し、この浴室内空気風路５０の先端は浴室５１の天井部に開口している。給気風路４６の内部にはヒータ５２が設けられている。また、給気風路４６の先端も浴室５１の天井部に開口している。
【００４７】
本実施例では、浴室内空気風路５０が第１の浴室内空気風路４７と第２の浴室内空気風路４９に分岐する箇所に、風路切替手段としてダンパ５３が設けられている。このダンパ５３は、第１の浴室内空気風路４７と第２の浴室内空気風路４９との間の仕切り壁５４端部に取り付けられ、支軸５５を中心にして矢印Ｂ１，Ｂ２方向に回動自在となっている。ダンパ５３はモータ等の駆動源（図示省略）によって矢印Ｂ１，Ｂ２方向に回動駆動される。
【００４８】
また、排気風路４８内には湿度センサ５６が取り付けられ、本体ケース４０内には制御部５７が設けられている。制御部５７は、湿度センサ５６からの検出信号を取り込んで、ダンパ５３の回動制御を行う。
【００４９】
なお、外気風路４５には給気ファンが、排気風路４８には排気ファンがそれぞれ設けられているが、図４では省略されている。
【００５０】
次に、本実施例の作用について説明する。
【００５１】
ダンパ５３を矢印Ｂ１方向に回動させ、図の実線の位置に切り替えたとき、浴室５１内部の浴室内空気は、浴室内空気風路５０および第１の浴室内空気風路４７を介して熱交換素子４１の空気通路Ｐ１に流れ、その後、排気風路４８を介して建物の外へ排出される。一方、外気は外気風路４５を介して熱交換素子４１に流れ、熱交換素子４１の空気通路Ｐ２を通過後、給気風路４６を通りながらヒータ５２で加熱されてから、浴室５１内に供給される。
【００５２】
熱交換素子４１において、浴室内空気と外気とは熱交換を行い、つまり外気が浴室内空気によって暖められ、逆に浴室内空気が外気によって冷やされる。また、浴室内空気は空気通路Ｐ１を通過する際に、外気によって冷やされて、浴室内空気に含まれていた水分が空気通路Ｐ１内に結露する。
【００５３】
排気風路４８には、熱交換素子４１の浴室内空気出口付近に湿度センサ５６が設けられており、熱交換素子４１通過後の浴室内空気の湿度が湿度センサ５６によって常に検出されている。
【００５４】
空気通路Ｐ１内の結露状態がひどくなると、熱交換素子４１通過後の浴室内空気の湿度が高くなるため、制御部５７は、湿度センサ５６からの検出信号を取り込んで、熱交換素子４１通過後の浴室内空気の湿度が所定値（例えば９０％ＲＨ）以上になったときは、空気通路Ｐ１内に結露水が生じていると判断し、ダンパ５３を矢印Ｂ２方向に回動させて、図の二点鎖線の位置に切り替える。
【００５５】
すると、浴室内空気は浴室内空気風路５０および第２の浴室内空気風路４９を介して熱交換素子４１の空気通路Ｐ３に流れ、その後、排気風路４８を介して建物の外へ排出されるようになる。このとき、空気通路Ｐ３を流れる浴室内空気は空気通路Ｐ１を加熱し、空気通路Ｐ１内の結露水を蒸発させる。
【００５６】
熱交換素子４１の空気通路Ｐ３に浴室内空気が流れていると、今度は空気通路Ｐ３内が結露してくる。空気通路Ｐ３内の結露状態は、上記と同様に、湿度センサ５６によって検出されており、空気通路Ｐ３内の結露状態がひどくなったときは、制御部５７はダンパ５３を矢印Ｂ１方向に切り替えて、再び熱交換素子４１の空気通路Ｐ１に浴室内空気を流すようにする。
【００５７】
そして、ダンパ５３の切替を繰り返し行うことにより、熱交換素子４２の空気通路Ｐ１，Ｐ３内に結露水が溜まることはなく、浴室乾燥換気装置を継続的に運転することができる。
【実施例４】
【００５８】
図７は実施例４による浴室構造の概略構成図である。本実施例では、本体ケース４０の内部に六角柱形状の熱交換素子６１が設けられている。
【００５９】
熱交換素子６１は、図８および図９に示すように、段ボール紙の断面形状に似た断面構成をなし、かつ外径が六角形に形成された樹脂製のシート６２，６３，６４を有する。各シート６２，６３，６４には、一辺からその対向辺に向かって細長い空気通路Ｐ４，Ｐ５，Ｐ６が多数平行に配列されている。なお、各空気通路Ｐ４，Ｐ５，Ｐ６の両側の三角形部分６２Ａ，６３Ａ，６４Ａは、板厚ｔ（この板厚ｔは空気通路Ｐ４，Ｐ５，Ｐ６の高さに略等しい）を有する厚板状になっている。
【００６０】
熱交換素子６１には、シート６２，６３，６４を一組のシート束として、このようなシート束が多数積層されている。図８のＣ方向から見たとき、シート６３の空気通路Ｐ４はシート６２の空気通路Ｐ４に対して時計方向に６０度傾斜して配置され、またシート６４の空気通路Ｐ６はシート６２の空気通路Ｐ４に対して反時計方向に６０度傾斜して配置されている。
【００６１】
このような構成の熱交換素子６１は、図７に示すように、本体ケース４０内に設置され、シート６３の空気通路Ｐ５の両端が外気風路４５および給気風路４６に、シート６２の空気通路Ｐ４の両端が浴室内空気風路５０および排気風路４８にそれぞれ接続されている。図７においては、シート６４の空気通路Ｐ６の両端はどの風路にも接続されていない。
【００６２】
本実施例では、熱交換素子６１は回転軸６５を中心にして回転自在となっている。また、回転軸６５はモータ６６に連結され、熱交換素子６１はモータ６６によって回転駆動される。そして、制御部５７は、湿度センサ５６からの検出信号を取り込んで、モータ６６の回転を制御する。本実施例では、モータ６６が風路切替手段を構成している。
【００６３】
なお、外気風路４５には給気ファンが、排気風路４８には排気ファンがそれぞれ設けられているが、図７では省略されている。
【００６４】
次に、本実施例の作用について説明する。
【００６５】
図７の状態のとき、つまり熱交換素子６１の空気通路Ｐ４の両端が外気風路４５および給気風路４６に、空気通路Ｐ４の両端が浴室内空気風路５０および排気風路４８にそれぞれ接続されている状態で浴室乾燥換気装置の運転を続けると、空気通路Ｐ４内に結露が生じてくる。
【００６６】
そして、空気通路Ｐ４内に結露がひどくなったとき、制御部５７はモータ６６を駆動し、熱交換素子６１を時計方向（図８のＣ方向から見て時計方向）に１２０度または３００度回転させる。その様子を図１０に示す。図１０（ａ）は図７の状態であり、同図（ｂ）は熱交換素子６１を１２０度または３００度回転させたときの状態である。
【００６７】
熱交換素子６１を１２０度または３００度回転させると、空気通路Ｐ６の両端が外気風路４５および給気風路４６に、空気通路Ｐ５の両端が浴室内空気風路５０および排気風路４８にそれぞれ接続される。内部に結露が生じた空気通路Ｐ４はどこにも接続されていない。
【００６８】
図１０（ｂ）の状態で浴室乾燥換気装置を運転すると、外気は空気通路Ｐ６を、浴室内空気は空気通路Ｐ５をそれぞれ流れ、外気と浴室内空気間で熱交換が行われる。このとき、空気通路Ｐ４は空気通路Ｐ５内を流れる浴室内空気によって加熱され、内部の結露水が蒸発する。
【００６９】
空気通路Ｐ５に浴室内空気が流れていると、今度は空気通路Ｐ５内が結露してくる。空気通路Ｐ５内の結露状態は、上記と同様に、湿度センサ５６によって検出されており、空気通路Ｐ５内の結露状態がひどくなったときは、制御部５７はモータ６６を駆動して熱交換素子６１を所定角度（図１０（ｂ）において１２０度回転させたときは２４０度、３００度回転させたときは６０度）回転させ、図１０（ｃ）のように再び空気通路Ｐ４に浴室内空気が流れるようにする。
【００７０】
そして、上記のような熱交換素子６１の断続的な回転を繰り返し行うことにより、熱交換素子６１の空気通路Ｐ４，Ｐ５内に結露水が溜まることはなく、浴室乾燥換気装置を継続的に運転することができる。
【図面の簡単な説明】
【００７１】
【図１】実施例１による浴室乾燥換気装置の概念図である。
【図２】熱交換素子の外観斜視図である。
【図３】実施例２による浴室乾燥換気装置の概念図である。
【図４】実施例３による浴室構造の構成図である。
【図５】実施例３に用いた熱交換素子の要部斜視図である。
【図６】図５の熱交換素子に用いられた３種類のシート構成をそれぞれ示した図である。
【図７】実施例４による浴室構造の構成図である。
【図８】実施例４に用いた熱交換素子の要部斜視図である。
【図９】図８の熱交換素子に用いられた３種類のシート構成をそれぞれ示した図である。
【図１０】図８の熱交換素子を回転させたときの様子をそれぞれ示した図である。
【図１１】従来例による浴室乾燥換気装置の概念図である。
【符号の説明】
【００７２】
１０  浴室乾燥換気装置
１１，４０  本体ケース
１２，４１，６１  熱交換素子
２６  給気ファン
２７  排気ファン
２８  給気ファンのモータ
２９  排気ファンのモータ
３０，５２  ヒータ
３１  ロッド
３２  振動モータ
３３  圧力センサ
３４，５７  制御部
４７  第１の浴室内空気風路
４９  第２の浴室内空気風路
５１  浴室
５３  ダンパ
５６  湿度センサ
６６  モータ
【図１】
0004039354.tif 000002
【図２】
0004039354.tif 000003
【図３】
0004039354.tif 000004
【図４】
0004039354.tif 000005
【図５】
0004039354.tif 000006
【図６】
0004039354.tif 000007
【図７】
0004039354.tif 000008
【図８】
0004039354.tif 000009
【図９】
0004039354.tif 000010
【図１０】
0004039354.tif 000011
【図１１】
0004039354.tif 000012